(57)【要約】【課題】着用者が前屈みの姿勢を取った場合において着用者の背部に対するずれ下がりを抑制できる吸収性物品を提供する。【解決手段】吸収性物品(10)の後胴回り域(S2)の幅方向の中央に位置する後中央領域(RC)は、吸収コアの後端縁から後胴回り域の後端縁まで延びる後ウエスト領域(R11)を有し、前胴回り域(S1)の幅方向の中央に位置する前中央領域(FC)は、前胴回り域の前端縁から後ウエスト領域の前後方向の長さまで後側に延びる前ウエスト領域(F11)を有する。後ウエスト領域の幅方向の収縮力は、前ウエスト領域の幅方向の収縮力よりも高い。【選択図】図２
2020103825.tif 000002
【特許請求の範囲】
【請求項１】
互いに直交する前後方向及び幅方向と、
前胴回り域、後胴回り域、及び前記前胴回り域及び前記後胴回り域との間に配置された股下域と、
前記股下域、前記前胴回り域及び前記後胴回り域に跨がって配置され、かつ吸収コアを有する吸収性本体と、
前記前胴回り域の外側部と前記後胴回り域の外側部が接合されたサイド接合部と、を有するパンツ型の吸収性物品であって、
前記後胴回り域の前記幅方向の中央に位置する後中央領域は、前記吸収コアの後端縁から前記後胴回り域の後端縁まで延びる後ウエスト領域を有し、
前記前胴回り域の前記幅方向の中央に位置する前中央領域は、前記前胴回り域の前端縁から前記後ウエスト領域の前記前後方向の長さまで後側に延びる前ウエスト領域を有し、
前記後ウエスト領域の前記幅方向の収縮力は、前記前ウエスト領域の前記幅方向の収縮力よりも高い、吸収性物品。
【請求項２】
前記吸収コアの後端縁と前記後胴回り域の後端縁の前記前後方向の距離は、前記吸収コアの前端縁と前記前胴回り域の前端縁の前記前後方向の距離よりも短い、請求項１に記載の吸収性物品。
【請求項３】
前記後胴回り域において前記吸収性本体に重なる後外装体を有し、
前記後外装体は、周囲よりも剛性が高い高剛性領域を有しており、
前記高剛性領域は、前記吸収性本体の後端縁を跨がって配置されている、請求項１又は請求項２に記載の吸収性物品。
【請求項４】
前記高剛性領域は、前記前後方向において前記吸収性本体の後端縁と前記後胴回り域の後端縁の間の領域の５０％以上に配置されている、請求項３に記載の吸収性物品。
【請求項５】
前記高剛性領域の外側縁は、前記吸収コアの外側縁よりも前記幅方向の外側に位置している、請求項３又は請求項４に記載の吸収性物品。
【請求項６】
前記後外装体には、前記後外装体を構成するシートが圧縮されたエンボス部が形成されており、
前記エンボス部は、前記幅方向に間隔を空けて複数配置され、前記前後方向に延びている、請求項３から請求項５のいずれか１項に記載の吸収性物品。
【請求項７】
前記前中央領域には、前記前中央領域の前記前後方向の全長を１０等分した複数の領域が設けられており、
前記複数の領域において前記幅方向の収縮力が最も高い高収縮領域は、前記前ウエスト領域よりも股下域側に配置されている、請求項１から請求項６のいずれか１項に記載の吸収性物品。
【請求項８】
前記後胴回り域は、前記前胴回り域の前記高収縮領域から前記幅方向に延出した延出領域を有し、
前記吸収性本体の後端縁は、前記延出領域よりも後側に位置する、請求項７に記載の吸収性物品。
【請求項９】
前記吸収コアの後端縁は、前記延出領域よりも股下域側に位置する、請求項８に記載の吸収性物品。
【請求項１０】
前記吸収コアは、前記幅方向に括れた括れ部を有し、
前記括れ部において最も前記幅方向の内側に位置する最狭部は、前記吸収性物品の前後方向の中心よりも前側に位置する、請求項１から請求項９のいずれか１項に記載の吸収性物品。
【発明の詳細な説明】
【技術分野】
【０００１】
本発明は、使い捨ておむつ等の吸収性物品に関する。
【背景技術】
【０００２】
特許文献１は、着用者の身体、特に腹部に対するフィット性を向上できる吸収性物品を提供している。特許文献１の吸収性物品は、腹部を覆う前胴回り域と、背部を覆う後胴回り域と、前胴回り域において幅方向に伸縮する伸縮性部材と、を有する。伸縮性部材の少なくとも一部は、前胴回り域における上前腸骨棘と重なる領域に配置されている。上前腸骨棘は、腹部の中央において膨らんだ部位よりも凹んでいる。一般的に、伸縮性部材は、収縮時に身体の凹んだ部位にずれ易い。しかし、特許文献１の吸収性物品は、伸縮性部材が凹んだ部位である上前腸骨棘と重なる領域に配置されていることで収縮時のずれが抑制されており、ウエスト開口のずれ落ちを抑制している。
【先行技術文献】
【特許文献】
【０００３】
【特許文献１】特開２００６−４３０６８号公報
【発明の概要】
【０００４】
パンツ型の吸収性物品は、前胴回り域と後胴回り域が連なっており、身体の動きに起因して前胴回り域がずれ下がると、それに伴って後胴回り域もずれ下がる。具体的には、着用者が前屈みの姿勢になると、着用者の腹部が前側に膨らみ、腹周りの寸法が大きくなり、吸収性物品全体が股下側にずれやすい。前屈みの姿勢においては、吸収性物品は、着用者の腹部に対して密着するが、背部に対して密着せずに背部と吸収性物品の間に隙間が生じ易い。そのため、吸収性物品全体が股下側にずれる際には、後胴回り域がずれやすい。
【０００５】
特許文献１の吸収性物品は、前胴回り域の上前腸骨棘と重なる領域を密着させ、ウエスト開口のずれ落ちを抑制しているが、前屈みの姿勢など、前胴回り域が密着した状態で後胴回り域がずれ下がることを抑制できなかった。
【０００６】
そこで、着用者が前屈みの姿勢を取った場合において着用者の背部に対するずれ下がりを抑制できる吸収性物品が望まれる。
【課題を解決するための手段】
【０００７】
一態様に係る吸収性物品は、互いに直交する前後方向及び幅方向と、前胴回り域、後胴回り域、及び前記前胴回り域及び前記後胴回り域との間に配置された股下域と、前記股下域、前記前胴回り域及び前記後胴回り域に跨がって配置され、かつ吸収コアを有する吸収性本体と、前記前胴回り域の外側部と前記後胴回り域の外側部が接合されたサイド接合部と、を有するパンツ型の吸収性物品であって、前記後胴回り域の前記幅方向の中央に位置する後中央領域は、前記吸収コアの後端縁から前記後胴回り域の後端縁まで延びる後ウエスト領域を有し、前記前胴回り域の前記幅方向の中央に位置する前中央領域は、前記前胴回り域の前端縁から前記後ウエスト領域の前記前後方向の長さまで後側に延びる前ウエスト領域を有し、前記後ウエスト領域の前記幅方向の収縮力は、前記前ウエスト領域の前記幅方向の収縮力よりも高い。
【図面の簡単な説明】
【０００８】
【図１】実施形態に係る吸収性物品の正面図である。
【図２】実施形態に係る吸収性物品の平面図である。
【図３】図２に示す吸収性物品のＡ−Ａ断面に沿った断面図である。
【図４】図２に示す吸収性物品のＢ−Ｂ断面に沿った断面図である。
【図５】実施形態に係る吸収性物品の装着状態を模式的に示した図である。
【０００９】
（１）実施形態の概要
本明細書及び添付図面の記載により、少なくとも以下の事項が明らかとなる。
一態様に係る吸収性物品は、互いに直交する前後方向及び幅方向と、前胴回り域、後胴回り域、及び前記前胴回り域及び前記後胴回り域との間に配置された股下域と、前記股下域、前記前胴回り域及び前記後胴回り域に跨がって配置され、かつ吸収コアを有する吸収性本体と、前記前胴回り域の外側部と前記後胴回り域の外側部が接合されたサイド接合部と、を有するパンツ型の吸収性物品であって、前記後胴回り域の前記幅方向の中央に位置する後中央領域は、前記吸収コアの後端縁から前記後胴回り域の後端縁まで延びる後ウエスト領域を有し、前記前胴回り域の前記幅方向の中央に位置する前中央領域は、前記前胴回り域の前端縁から前記後ウエスト領域の前記前後方向の長さまで後側に延びる前ウエスト領域を有し、前記後ウエスト領域の前記幅方向の収縮力は、前記前ウエスト領域の前記幅方向の収縮力よりも高い。
【００１０】
本態様によれば、着用者が前屈みの姿勢になると、着用者の腹部が前側に膨らみ、腹周りの寸法が大きくなる。このとき、前ウエスト領域の収縮力が低く、後ウエスト領域よりも前ウエスト領域が幅方向に伸長し易いため、前側に膨らんだ腹部の変形を吸収し、吸収性物品の全体のずれを抑制できる。また、後ウエスト領域の収縮が高いため、後ウエスト領域がずれ落ち難い。
【００１１】
また、膝を曲げて前屈みの姿勢を取った後に姿勢を元に戻す際には、脚によって挟まれた股下域が後側に移動し、後胴回り域に、股下域の吸収コアを介して後側に押し上げる力が掛かる。また、着用者が抱っこされた状態では、股下域が押圧され、後胴回り域に、股下域の吸収コアを介して後側に押し上げる力が掛かる。後ウエスト領域は、収縮によって剛性が高くなるため、股下域側から後側に押し上げる力が後ウエスト領域にかかった際に元の位置に戻りやすい。よって、前屈みの姿勢において後胴回り域のずれ落ちが生じた場合であっても、姿勢を元に戻すことにより、ウエスト開口を引き上げ、着用者の背部に対するずれ下がりを抑制できる。
【００１２】
好ましい一態様によれば、前記吸収コアの後端縁と前記後胴回り域の後端縁の前記前後方向の距離は、前記吸収コアの前端縁と前記前胴回り域の前端縁の前記前後方向の距離よりも短くてよい。
【００１３】
本態様によれば、吸収コアを介して後側に押し上げる力が後胴回り域の後端縁側まで伝わり易く、後胴回り域のウエスト開口をより引き上げ易い。また、吸収コアの前端縁と前胴回り域の前端縁の前後方向の距離が比較的長いため、前ウエスト領域の伸長時に吸収コアの剛性が影響し難く、前屈みの姿勢時に前ウエスト領域がより伸長し易い。よって、前屈みの姿勢で前側に膨らんだ腹部の変形を前ウエスト領域吸収し、吸収性物品の全体のずれを抑制できる。
【００１４】
好ましい一態様によれば、前記後胴回り域において前記吸収性本体に重なる後外装体を有し、前記後外装体は、周囲よりも剛性が高い高剛性領域を有しており、前記高剛性領域は、前記吸収性本体の後端縁を跨がって配置されてよい。
【００１５】
脚を曲げて前屈みの姿勢を取った後に姿勢を元に戻すと、後胴回り域には、吸収性本体を介しても後側に押し上げる力が掛かる。吸収性本体の後端縁と後胴回り域の後端縁の間の領域は、吸収性本体よりも剛性が低い。しかし、吸収性本体の後端縁を跨がって高剛性領域が配置されていることにより、吸収性本体を介して後側に押し上げる力が後胴回り域の後端縁側まで伝わり易く、後胴回り域のウエスト開口をより引き上げ易い。
【００１６】
好ましい一態様によれば、前記高剛性領域は、前記前後方向において前記吸収性本体の後端縁と前記後胴回り域の後端縁の間の領域の５０％以上に配置されてよい。
【００１７】
本態様によれば、吸収性本体を介して後側に押し上げる力が後胴回り域の後端縁側までより伝わり易く、後胴回り域のウエスト開口をより引き上げ易くなる。
【００１８】
好ましい一態様によれば、前記高剛性領域の外側縁は、前記吸収コアの外側縁よりも前記幅方向の外側に位置してよい。
【００１９】
本態様によれば、幅方向において高剛性領域が吸収コアよりも外側に延出している。そのため、吸収コアから後側に延びる領域の幅方向全域に亘って、吸収コアを介して後側に押し上げる力をウエスト開口側に伝達でき、後胴回り域のウエスト開口をより引き上げ易い。
【００２０】
好ましい一態様によれば、前記後外装体には、前記後外装体を構成するシートが圧縮されたエンボス部が形成されており、前記エンボス部は、前記幅方向に間隔を空けて複数配置され、前記前後方向に延びてよい。
【００２１】
本態様によれば、後外装体の前後方向の剛性が高くなり、股下域側から後側に押し上げる力が後外装体の前後方向の全域に伝わり易くなる。よって、後胴回り域のウエスト開口をより引き上げ易い。
【００２２】
好ましい一態様によれば、前記前中央領域には、前記前中央領域の前記前後方向の全長を１０等分した複数の領域が設けられており、前記複数の領域において前記幅方向の収縮力が最も高い高収縮領域は、前記前ウエスト領域よりも股下域側に配置されてよい。
【００２３】
本態様によれば、着用者が前屈みの姿勢になって着用者の腹部が前側に膨らんだ際に、腹部の下端の凹みに高収縮領域がフィットした状態で、高収縮領域よりもウエスト開口側に位置する前ウエスト領域が伸長する。前胴回り域が腹部の変形により追従して変形でき、前胴回り域のずれ落ちを抑制できる。
【００２４】
好ましい一態様によれば、前記後胴回り域は、前記前胴回り域の前記高収縮領域から前記幅方向に延出した延出領域を有し、前記吸収性本体の後端縁は、前記延出領域よりも後側に位置してよい。
【００２５】
着用状態において前胴回り域と後胴回り域は、サイド接合部を介して連なっており、高収縮領域から幅方向に延びた延出領域は、高収縮領域の収縮に伴って身体にフィットし、着用者の姿勢の変化によって前後方向にずれ難い。また、延出領域よりも後側の領域においてずれが生じた際は、延出領域よりも後側に位置する吸収性本体の後端縁によって後側に押し上げることができる。
【００２６】
好ましい一態様によれば、前記吸収コアの後端縁は、前記延出領域よりも股下域側に位置してよい。
【００２７】
延出領域と吸収コアが重なっていると、高収縮領域の収縮に伴って延出領域がフィットすることに起因して、吸収コアの剛性が高くなる。吸収コアの剛性が高くなると、吸収コアが配置された領域と、後ウエスト領域と、の剛性差が大きくなり、吸収コアを介して押圧された際に後ウエスト領域が引き上がり難いことがある。後ウエスト領域と延出領域の剛性差を小さくし、吸収コアを介して後側に押圧された際に後ウエスト領域が引き上がり易くなる。
【００２８】
好ましい一態様によれば、前記吸収コアは、前記幅方向に括れた括れ部を有し、前記括れ部において最も前記幅方向の内側に位置する最狭部は、前記吸収性物品の前後方向の中心よりも前側に位置してよい。
【００２９】
吸収コアの最狭部は、着用時にもっとも両脚によって挟まれる部分となる。脚を曲げて前屈みの姿勢を取った後に姿勢を元に戻す際には、吸収コアの最狭部から吸収コアの全域に前後方向に移動する力がかかる。吸収コアの最狭部が前側に偏倚しているため、最狭部よりも後側の領域の前後方向の長さを確保でき、姿勢を元に戻す際にウエスト開口側に戻る量を増やすことができる。よって、吸収コアを介して後側に押圧された際に後ウエスト領域が引き上がり易くなる。
【００３０】
（２）吸収性物品の全体概略構成
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３１】
吸収性物品は、パンツ型であり、使い捨ておむつであってもよいし、ショーツ型生理用ナプキンであってよい。第１実施形態の吸収性物品は、パンツ型の使い捨ておむつである。図１は、本実施形態に係る吸収性物品１０の模式正面図である。図２は、本実施形態に係る吸収性物品１０の模式平面図である。図２に示す模式平面図は、後述するサイド接合部６０を展開した状態において吸収性物品１０を皺が形成されない状態まで伸長させた伸長状態を示している。図３は、図２に示すＡ−Ａ線に沿った断面図であり、図４は、図２に示すＢ−Ｂ断面に沿った断面図である。また、図３及び図４に示す断面図では、説明の便宜上、各部材を厚み方向Ｔにおいて離間して示しているが、実際の製品では各部材が厚み方向Ｔに接している。
【００３２】
吸収性物品１０は、互いに直交する前後方向Ｌ及び幅方向Ｗを有する。前後方向Ｌは、身体前側と身体後側とに延びる方向によって規定される。言い換えると、前後方向Ｌは、展開された吸収性物品１０において前後に延びる方向である。また、吸収性物品１０は、前後方向Ｌと幅方向Ｗの両方の直交する厚み方向Ｔを有する。
【００３３】
吸収性物品１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域である。股下域Ｓ３は、着用者の股下に位置し、前胴回り域Ｓ１と後胴回り域Ｓ２との間に配置された領域である。股下域Ｓ３は、後述する脚回り開口６６が形成された領域である。前胴回り域Ｓ１の股下域側の境界は、脚回り開口６６の前端縁であり、後胴回り域Ｓ２の股下域側の境界は、脚回り開口６６の後端縁である。
【００３４】
本実施形態では、吸収性物品１０は、外装体１５と、吸収性本体４０と、を有していてよい。外装体１５は、吸収性本体４０と厚み方向に重なっている。外装体１５は、前外装体２０と、後外装体３０と、を有してよい。前外装体２０は、前胴回り域Ｓ１において、吸収性本体４０と重なる領域と、吸収性本体４０と重ならない領域と、に配置されている。後外装体３０は、前外装体２０と前後方向Ｌに離間している。後外装体３０は、後胴回り域Ｓ２において、吸収性本体４０と重なる領域と、吸収性本体４０と重ならない領域と、に配置されている。なお、他の実施形態において、外装体１５は、前外装体２０及び後外装体３０が一体化され、かつ前胴回り域Ｓ１から後胴回り域Ｓ２に亘って設けられていてもよい。
【００３５】
図３に示すように、前外装体２０は、吸収性本体４０の肌面側Ｔ１に配置された前カバーシート２７と、吸収性本体４０の非肌面側Ｔ２に配置された前第１外装シート２５と、前第１外装シート２５の非肌面側Ｔ２に配置された前第２外装シート２６と、前第１外装シート２５と前第２外装シート２６の間に配置された外装伸縮シート２８と、を有してよい。吸収性本体４０と重ならない領域では、前カバーシート２７、前第１外装シート２５、外装伸縮シート２８及び前第２外装シート２６が肌面側Ｔ１から非肌面側Ｔ２に向かって順に積層され、互いに接合されている。なお、前カバーシート２７、前第１外装シート２５及び前第２外装シート２６は、別々のシートによって構成されていてもよいし、折り返された同一のシートによって構成されていてもよい。
【００３６】
後外装体３０は、吸収性本体４０の肌面側Ｔ１に配置された後カバーシート３７と、吸収性本体４０の非肌面側Ｔ２に配置された後第１外装シート３５と、後第１外装シート３５の非肌面側Ｔ２に配置された後第２外装シート３６と、後第１外装シート３５と後第２外装シート３６の間に配置された後側糸ゴム３８と、を有してよい。吸収性本体４０と重ならない領域では、後カバーシート３７、後第１外装シート３５、後側糸ゴム３８及び後第２外装シート３６が肌面側Ｔ１から非肌面側Ｔ２に向かって順に積層され、互いに接合されてよい。また、後第１外装シート３５の肌面側には、後第３外装シート３９が配置されてよい。後第３外装シート３９が配置された領域では、後カバーシート３７、後第３外装シート３９、後第１外装シート３５、後側糸ゴム３８及び後第２外装シート３６が肌面側Ｔ１から非肌面側Ｔ２に向かって順に積層され、互いに接合されてよい。なお、後カバーシート３７、後第１外装シート３５、後第２外装シート３６及び後第３外装シート３９は、別々のシートによって構成されていてもよいし、折り返された同一のシートによって構成されていてもよい。本実施の形態では、後第２外装シート３６及び後第３外装シート３９は、ウエスト開口６２において折り返された同一のシートによって構成されている。
【００３７】
図１に示すように、前胴回り域Ｓ１の外側部と、後胴回り域Ｓ２の外側部と、を接合したサイド接合部６０が設けられていてよい。サイド接合部６０は、前胴回り域Ｓ１の外側部と、幅方向Ｗにおける後胴回り域Ｓ２の外側部と、を互いに係止した部分によって規定される。
【００３８】
なお、本発明における外側部とは、幅方向Ｗにおける外縁を含む幅方向Ｗに一定の範囲を占める部分であり、外側縁とは、幅方向Ｗにおける外縁である。本発明における内側部とは、幅方向Ｗにおける内縁を含む幅方向Ｗに一定の範囲を占める部分であり、内側縁とは、幅方向Ｗにおける内縁である。また、本発明における前端部及び後端部は、前後方向Ｌにおける縁を含む前後方向Ｌに一定の範囲を占める部分であり、前端縁及び後端縁は、前後方向Ｌにおける縁である。外端部は、前端部及び後端部を含んでおり、外端縁は、前端縁及び後端縁を含んでいる。
【００３９】
図１に示すように、サイド接合部６０が形成された状態で、吸収性物品１０には、着用者の胴が通されるウエスト開口６２と、着用者の脚がそれぞれ挿入される一対の脚回り開口６６と、が形成される。ウエスト開口６２は、前胴回り域Ｓ１の前端縁Ｓ１Ｆと、後胴回り域Ｓ２の後端縁Ｓ２Ｒとによって規定されていてよい。
【００４０】
ここで、図２は、サイド接合部６０における接合を解除し、吸収性物品１０を展開した状態を示している。サイド接合部６０は、前外装体２０及び後外装体３０のそれぞれにおいて、前後方向Ｌに沿って延びていてよい。パンツ型の吸収性物品においては、前胴回り域Ｓ１と股下域Ｓ３との境界は、前外装体２０に設けられたサイド接合部６０の後端縁によって規定されていてよい。同様に、後胴回り域Ｓ２と股下域Ｓ３との境界は、後外装体３０に設けられたサイド接合部６０の前端縁によって規定されていてよい。
【００４１】
図３に示すように、前胴回り域Ｓ１には、幅方向Ｗに伸縮可能な伸縮性部材が配置されてよい。伸縮性部材は、幅方向Ｗに伸縮可能な前側糸ゴム２２、及び幅方向Ｗに伸縮可能な外装伸縮シート２８の少なくともいずれかによって構成されていてよい。この代わりに、伸縮性部材は、例えば伸縮可能なシートにより構成された前外装体２０自体によって構成されていてもよい。前側糸ゴム２２は、幅方向Ｗに連続する連続糸ゴム２２Ａと、幅方向に連続せずに分断された非連続糸ゴム２２Ｂと、を有してよい。非連続糸ゴム２２Ｂは、少なくとも吸収コア５０と重なる領域において分断され、伸縮力が低減されていてよい。連続糸ゴム２２Ａは、吸収コア５０の前端縁５０Ｆよりも前側に位置し、吸収コア５０に重ならないように配置されてよい。
【００４２】
後胴回り域Ｓ２には、幅方向Ｗに伸縮可能な伸縮性部材が配置されてよい。伸縮性部材は、幅方向Ｗに伸縮可能な後側糸ゴム３８、及び幅方向Ｗに伸縮可能な外装伸縮シートの少なくともいずれかによって構成されていてよい。この代わりに、伸縮性部材は、例えば伸縮可能なシートにより構成された後外装体３０自体によって構成されていてもよい。
【００４３】
吸収性本体４０は、前外装体２０と後外装体３０とに跨って配置されている。すなわち、吸収性本体４０は、前胴回り域Ｓ１、後胴回り域Ｓ２及び股下域Ｓ３に跨がっている。吸収性本体４０は、前外装体２０及び後外装体３０とは別体として構成されていてよい。この場合、吸収性本体４０は、前胴回り域Ｓ１及び後胴回り域Ｓ２において、それぞれ前外装体２０及び後外装体３０と接合されていてよい。
【００４４】
吸収性本体４０は、少なくとも吸収コア５０を含んでいる。吸収コア５０は、例えば粉砕パルプもしくは高吸収性ポリマー（ＳＡＰ）、又はこれらの混合物を含んでいてよい。吸収コア５０は、少なくとも股下域Ｓ３に配置されている。好ましくは、吸収コア５０は、前後方向Ｌにおいて、前胴回り域Ｓ１から後胴回り域Ｓ２にわたって延びていてよい。吸収コア５０は、コアラップによって覆われていてよい。吸収コア５０は、括れ部５１を有してよい。吸収コア５０の括れ部５１は、吸収コア５０の外側縁５０Ｅから幅方向の内側に凹む部分である。さらに、図３に示すように、吸収性本体４０は、吸収コア５０の肌面側に配置された肌面シート４２Ａと、吸収コア５０の非肌面側に配置された液不透過シート４１と、液不透過シート４１よりも非肌面側Ｔ２に配置された本体シート４２Ｂと、を有していてよい。
【００４５】
本実施の形態の吸収性本体４０は、吸収コア５０よりも前側の領域において、肌面側Ｔ１から非肌面側Ｔ２に向かって、肌面シート４２Ａ、液不透過シート４１、本体シート４２Ｂの順で配置されている。また、吸収コア５０と重なった領域では、肌面側Ｔ１から非肌面側Ｔ２に向かって、肌面シート４２Ａ、吸収コア５０、液不透過シート４１、本体シート４２Ｂの順で配置されている。肌面シート４２Ａと液不透過シート４１は、厚み方向Ｔにおいて吸収コア５０を挟んで配置されてよい。液不透過シート４１は、透不液性であればよく、例えば、フィルムによって構成されてよい。肌面シート４２Ａ及び本体シート４２Ｂは、透液性であればよく、例えば不織布によって構成されていてよい。
【００４６】
図２に示すように、前胴回り域Ｓ１は、幅方向Ｗの中央に位置する前中央領域ＦＣと、前中央領域ＦＣよりも幅方向Ｗの外側に位置する前サイド領域ＦＳと、を有してよい。前中央領域ＦＣの外側縁は、前サイド領域ＦＳの内側縁に一致し、吸収コア５０の外側縁５０Ｅから前後方向に延びる延長線上に位置する。前サイド領域ＦＳは、前中央領域の左右両側に位置する。後胴回り域Ｓ２は、幅方向Ｗの中央に位置する後中央領域ＲＣと、後中央領域ＲＣよりも幅方向Ｗの外側に位置する後サイド領域ＲＳと、を有してよい。後中央領域ＲＣの外側縁は、後サイド領域ＲＳの内側縁に一致し、吸収コア５０の外側縁５０Ｅから前後方向に延びる延長線上に位置する。前サイド領域ＦＳの外側縁及び後サイド領域ＲＳの外側縁は、パンツ型の吸収性物品にあっては、サイド接合部６０の内側縁である。
【００４７】
後中央領域ＲＣは、吸収コア５０の後端縁５０Ｒから後胴回り域Ｓ２の後端縁Ｓ２Ｒまで延びる後ウエスト領域Ｒ１１を有する。後ウエスト領域Ｒ１１の後端縁は、後胴回り域Ｓ２の後端縁Ｓ２Ｒに一致し、後ウエスト領域Ｒ１１の前端縁は、吸収コア５０の後端縁５０Ｒに一致する。後ウエスト領域Ｒ１１の外側縁は、後中央領域ＲＣの外側縁に一致する。後ウエスト領域Ｒ１１には、後外装体３０のみが配置された領域と、後外装体３０と吸収性本体４０が配置された領域と、が設けられている。
【００４８】
前中央領域ＦＣは、前ウエスト領域Ｆ１１を有している。前ウエスト領域Ｆ１１は、前胴回り域Ｓ１の前端縁Ｓ１Ｆから後ウエスト領域Ｒ１１の前後方向の長さまで後側に延びる領域である。すなわち、前ウエスト領域Ｆ１１の前後方向の長さは、後ウエスト領域Ｒ１１の前後方向の長さと一致する。前ウエスト領域Ｆ１１の幅方向の長さ、後ウエスト領域Ｒ１１の幅方向の長さ、及び吸収コア５０の幅方向の長さは、一致する。
【００４９】
また、前中央領域ＦＣは、前中央領域ＦＣの前後方向Ｌの全長を１０等分した複数の前中央領域を有する。前中央領域は、前胴回り域Ｓ１の前端縁Ｓ１Ｆから１０％後方までの第１領域、１０％から２０％後方までの第２領域、２０％から３０％後方までの第３領域、３０％から４０％後方までの第４領域、４０％から５０％後方までの第５領域、５０％から６０％後方までの第６領域、６０％から７０％後方までの第７領域、７０％から８０％後方までの第８領域、８０％から９０％後方までの第９領域及び９０％から１００％後方までの第１０領域を有する。
【００５０】
また、後中央領域ＲＣは、後中央領域ＲＣの前後方向Ｌの全長を１０等分した複数の後中央領域を有する。後中央領域は、後胴回り域Ｓ２の後端縁Ｓ２Ｒから１０％前方までの第１領域、１０％から２０％前方までの第２領域、２０％から３０％前方までの第３領域、３０％から４０％前方までの第４領域、４０％から５０％前方までの第５領域、５０％から６０％前方までの第６領域、６０％から７０％前方までの第７領域、７０％から８０％前方までの第８領域、８０％から９０％前方までの第９領域及び９０％から１００％前方までの第１０領域を有する。
【００５１】
次いで、このように構成された吸収性物品の着用態様について説明する。本実施の形態の吸収性物品は、前胴回り域Ｓ１と後胴回り域Ｓ２において適した収縮力に設計されており、ずれ下がりを抑制できるように構成されている。図５は、吸収性物品を着用した着用者を側面から見た状態を示している。図５（ａ）は、前屈みの姿勢を取る前の状態であり、図５（ｂ）は、前屈みの姿勢を取った状態であり、図５（ｃ）は、前屈みの姿勢を取った後に、元の姿勢に戻った状態である。図５に示すＢＬは、身体のラインを示している。
【００５２】
吸収性物品では、後ウエスト領域Ｒ１１の幅方向の収縮力は、前ウエスト領域Ｆ１１の幅方向の収縮力よりも高い。図５（ｂ）に示すように、着用者が前屈みの姿勢になると、着用者の腹部が前側に膨らみ、腹周りの寸法が大きくなる。このとき、前ウエスト領域Ｆ１１の収縮力が低く、後ウエスト領域Ｒ１１よりも前ウエスト領域Ｆ１１が幅方向に伸長し易いため、前側に膨らんだ腹部の変形を吸収し、吸収性物品の全体のずれを抑制できる。また、後ウエスト領域Ｒ１１の収縮が高いため、後ウエスト領域Ｒ１１が身体にフィットしてずれ落ち難い。
【００５３】
図５（ｂ）に示すように膝を曲げて前屈みの姿勢を取ると、少なからず後胴回り域Ｓ２が股下域側にずれる。その後に、図５（ｃ）に示すように脚を元に戻すことがある。このとき、股下域Ｓ３が両脚によって挟まれた状態で後側に移動すると、後胴回り域Ｓ２には、股下域Ｓ３の吸収コア５０を介して後側に押し上げる力が掛かる。また、着用者が抱っこされた状態では、母親等の補助者が着用者の股間辺りを支持したり、股間辺りを軽く叩いたりする傾向がある。このような場合においても、吸収性物品１０の股下域Ｓ３が押圧され、後胴回り域Ｓ２には、股下域Ｓ３の吸収コア５０を介して後側に押し上げる力が掛かる。このとき、後ウエスト領域Ｒ１１の収縮によってその剛性が高くなるため、股下域Ｓ３側から後側に押し上げる力が後ウエスト領域Ｒ１１にかかった際に、後ウエスト領域Ｒ１１全体が後側に押圧され易い。よって、前屈みの姿勢において後胴回り域Ｓ２のずれ落ちが生じた場合であっても、姿勢を元に戻すことにより、ウエスト開口６２を引き上げ、着用者の背部に対するずれ下がりを抑制できる。
【００５４】
図２に示すように、吸収コア５０の後端縁５０Ｒと後胴回り域Ｓ２の後端縁Ｓ２Ｒの前後方向Ｌの距離Ｌ５２は、吸収コア５０の前端縁５０Ｆと前胴回り域Ｓ１の前端縁Ｓ１Ｆの前後方向Ｌの距離Ｌ５１よりも短くてよい。すなわち、吸収コア５０は、後側に偏倚して配置されてよい。吸収コア５０を介して後側に押し上げる力が後胴回り域Ｓ２の後端縁Ｓ２Ｒ側まで伝わり易く、後胴回り域Ｓ２のウエスト開口６２をより引き上げ易い。また、吸収コア５０の前端縁５０Ｆと前胴回り域Ｓ１の前端縁Ｓ１Ｆの前後方向の距離Ｌ５１が比較的長いため、前ウエスト領域Ｆ１１の伸長時に吸収コア５０の剛性が影響し難く、前屈みの姿勢時に前ウエスト領域Ｆ１１がより伸長し易い。よって、前屈みの姿勢で前側に膨らんだ腹部の変形を前ウエスト領域Ｆ１１で吸収し、吸収性物品１０の全体のずれを抑制できる。
【００５５】
後外装体３０は、周囲よりも剛性が高い高剛性領域ＨＲを有している。高剛性領域ＨＲは、後外装体３０において最も剛性が低い領域よりも高い領域である。図３に示すように、高剛性領域ＨＲは、例えば、後外装体３０を構成するシート同士が接着剤８１によって接合された領域、後カバーシート３７が配置された領域、後第３外装シート３９が配置された領域（後第２外装シート３６が折り返された部分が配置された領域）、外装体を構成するシートの層数が多い領域（例えば、折り返されていないシートが配置された領域）である。
【００５６】
高剛性領域ＨＲは、平面視にて、吸収性本体４０の後端縁４０Ｒを跨がって配置されてよい。脚を曲げて前屈みの姿勢を取った後に姿勢を元に戻すと、後胴回り域Ｓ２には、吸収性本体４０を介しても後側に押し上げる力が掛かる。吸収性本体４０の後端縁４０Ｒと後胴回り域Ｓ２の後端縁Ｓ２Ｒの間の領域は、吸収性本体４０よりも剛性が低い。しかし、吸収性本体４０の後端縁４０Ｒを跨がって高剛性領域ＨＲが配置されていることにより、吸収性本体４０を介して後側に押し上げる力が後胴回り域Ｓ２の後端縁Ｓ２Ｒ側まで伝わり易く、後胴回り域Ｓ２のウエスト開口６２をより引き上げ易い。なお、高剛性領域ＨＲは、吸収性本体４０の後端縁４０Ｒの幅方向の少なくとも一部を跨がっていればよく、好適には、吸収性本体４０の後端縁４０Ｒの幅方向の全域で跨がってよい。より好適には、複数の高剛性領域ＨＲが吸収性本体４０の後端縁４０Ｒを跨がって配置されてよい。吸収性本体４０を介して後側に押し上げる力が後胴回り域Ｓ２の後端縁Ｓ２Ｒ側までより伝わり易く、ウエスト開口６２を引き上げ易くなる。
【００５７】
高剛性領域ＨＲは、前後方向において吸収性本体４０の後端縁４０Ｒと後胴回り域Ｓ２の後端縁Ｓ２Ｒの間の領域の５０％以上に配置されてよい。図３において、吸収性本体４０の後端縁４０Ｒと後胴回り域Ｓ２の後端縁Ｓ２Ｒの間の領域Ｒ１２の前後方向の範囲を示す。吸収性本体４０を介して後側に押し上げる力が後胴回り域Ｓ２の後端縁Ｓ２Ｒ側までより伝わり易く、後胴回り域Ｓ２のウエスト開口６２をより引き上げ易くなる。本実施の形態では、吸収性本体４０の後端縁４０Ｒと後胴回り域Ｓ２の後端縁Ｓ２Ｒの間の領域Ｒ１２の前後方向の全域に高剛性領域ＨＲが配置されている。
【００５８】
高剛性領域ＨＲの外側縁は、吸収コア５０の外側縁５０Ｅよりも幅方向の外側に位置してよい。すなわち、幅方向において高剛性領域ＨＲが吸収コア５０よりも外側に延出している。そのため、吸収コア５０から後側に延びる領域の幅方向全域に亘って、吸収コア５０を介して伝わる力をウエスト開口６２側に伝達でき、後胴回り域Ｓ２のウエスト開口６２をより引き上げ易い。本実施の形態の高剛性領域ＨＲは、後胴回り域Ｓ２の幅方向の全域に亘って設けられている。よって、後側に押し上げる力が後胴回り域Ｓ２の全域に亘って伝わり易く、後胴回り域Ｓ２のウエスト開口６２全体を引き上げ易くなる。
【００５９】
後外装体３０には、後外装体を構成するシートが圧縮されたエンボス部７５が形成されてよい。エンボス部７５は、幅方向に間隔を空けて複数配置され、前後方向に延びてよい。本実施の形態では、後第１外装シート３５は、２層以上のシートが積層された積層体７６を有しており、積層体７６には、積層体を構成するシート同士が圧縮されたエンボス部７５が形成されている。エンボス部７５は、幅方向に間隔を空けて複数配置され、前後方向に延びてよい。なお、前後方向に延びる構成は、エンボス部が前後方向に連続して延びている構成のみならず、複数のエンボス部が前後方向に並んで配置され、エンボス部の集合体が前後方向に連続して延びている構成も含む概念である。エンボス部によって後外装体の前後方向の剛性が高くなり、股下域側から後側に押し上げる力が後外装体の前後方向の全域に伝わり易くなる。よって、後胴回り域Ｓ２のウエスト開口６２をより引き上げ易くなる。
【００６０】
着用者の腹側には、一般的に、腹部の下端に幅方向Ｗに延びる凹みが形成される。この腹部の下端の凹みは、幅方向Ｗの中央から幅方向Ｗの外側に向かって上方に湾曲しており、特に乳幼児においてはっきりと形成され易い。前中央領域の複数の領域（第１領域から第１０領域）において幅方向の収縮力が最も高い高収縮領域ＨＳ（図２参照）は、前ウエスト領域Ｆ１１よりも股下域側に配置されてよい。着用者が前屈みの姿勢になって着用者の腹部が前側に膨らんだ際に、腹部の下端の凹みに高収縮領域ＨＳがフィットした状態で、高収縮領域ＨＳよりもウエスト開口６２側に位置する前ウエスト領域Ｆ１１が伸長する。前胴回り域Ｓ１が腹部の変形により追従して変形でき、前胴回り域Ｓ１のずれ落ちを抑制できる。
【００６１】
以下の表１に、本実施の形態の前中央領域の複数の領域における収縮力を示す。
【表１】
2020103825.tif 000003
本実施の形態における高収縮領域ＨＳは、第７領域によって構成されており、前ウエ0スト領域Ｆ１１よりも股下域側に配置されている。また、本実施の形態の高収縮領域ＨＳには、連続糸ゴム２２Ａが配置されている。
【００６２】
本出願人が鋭意検討を重ねた結果、腹部の下端の凹みは、前中央領域ＦＣにおいて複数の領域のうち前胴回り域Ｓ１の前端縁Ｓ１Ｆから前胴回り域Ｓ１の前後方向Ｌの全長に対する４０〜１００％後方に位置する領域と対向して配置されることがわかった。そのため、好適には、高収縮領域ＨＳは、前中央領域ＦＣの第５領域から第１０領域に設けられていることが好ましい。
【００６３】
なお、本実施形態において、各領域の「収縮力」は、以下の方法によって測定される。まず、各領域の収縮力を測定する際は、測定対象となる試験片を作成する。吸収性物品１０がサイド接合部６０を有する場合には、サイド接合部６０を解除し、吸収性物品１０を展開する。次に、吸収性物品を伸長させた伸長状態において幅方向の長さ及び前後方向の長さを計測し、前中央領域と前サイド領域の境界に線を引く。次いで、前胴回り域Ｓ１を前後方向に１０分割した１０個の試験片を切り出し、各試験片を前中央領域と前サイド領域の境界で切断する。また、別の吸収性物品１０の前胴回り域Ｓ１から前ウエスト領域Ｆ１１を切り出すとともに、後胴回り域Ｓ２から後ウエスト領域Ｒ１１を切り出す。次に、切り出した試験片の両端部を引張試験器（インストロン）のチャック（挟持具）によって挟持する。このとき、チャック間の距離を５０ｍｍとする。次に、幅方向Ｗにおけるチャックの一方を固定した状態で、チャック間の距離を変えるようにチャックのもう一方を移動させる。このときのチャックの移動スピードは、３００ｍｍ／ｍｉｎとする。なお、チャックの移動方向を変えるタイミングは、最大伸長時の９５％の地点とする。チャックの移動中に、チャックに係る応力を測定し、伸長状態から６０％（一定幅）の状態で得られた応力（Ｎ）を各領域の「収縮力」と定義する。このようにして、第１領域から第１０領域の幅方向の収縮力を得ることができる。
【００６４】
後胴回り域Ｓ２は、前胴回り域Ｓ１の高収縮領域ＨＳから幅方向に延出した延出領域ＥＲを有する。延出領域ＥＲは、サイド接合部６０が接合された状態において、高収縮領域ＨＳから幅方向Ｗに延びる領域である。具体的には、前胴回り域Ｓ１の高収縮領域ＨＳが第７領域である場合、第７領域から幅方向に延びる領域のうち、後胴回り域Ｓ２に位置する領域は、延出領域ＥＲを構成する。前胴回り域Ｓ１の前後方向の長さと後胴回り域Ｓ２の前後方向の長さが同じ吸収性物品にあっては、前胴回り域Ｓ１の高収縮領域ＨＳが第７領域である場合には、後胴回り域Ｓ２の第７領域が延出領域ＥＲを構成する。
【００６５】
図２に示すように、吸収性本体４０の後端縁４０Ｒは、延出領域ＥＲよりも後側に位置してよい。着用状態において前胴回り域Ｓ１と後胴回り域Ｓ２は、サイド接合部６０を介して連なっており、高収縮領域ＨＳから幅方向に延びた延出領域ＥＲは、高収縮領域ＨＳの収縮に伴って身体にフィットし、着用者の姿勢の変化によって前後方向Ｌにずれ難い。また、延出領域ＥＲよりも後側の領域においてずれが生じた際は、延出領域ＥＲよりも後側に位置する吸収性本体４０の後端縁４０Ｒによって後側に押し上げることができる。
【００６６】
また、変形例において、吸収コア５０の後端縁５０Ｒは、延出領域ＥＲよりも股下域Ｓ３側に位置してよい。延出領域ＥＲと吸収コア５０が重なっていると、高収縮領域ＨＳの収縮に伴って延出領域ＥＲがフィットすることに起因して、吸収コア５０の剛性が高くなる。吸収コア５０の剛性が高くなると、吸収コア５０が配置された領域と、後ウエスト領域Ｒ１１と、の剛性差が大きくなり、吸収コア５０を介して押圧された際に後ウエスト領域Ｒ１１が引き上がり難いことがある。後ウエスト領域Ｒ１１と延出領域ＥＲの剛性差を小さくし、吸収コア５０を介して押圧された際に後ウエスト領域Ｒ１１が引き上がり易くなる。
【００６７】
吸収コア５０の括れ部５１において最も幅方向の内側に位置する最狭部５１Ｃは、吸収性物品の前後方向の中心１０ＬＣよりも前側に位置してよい。また、最狭部５１Ｃが前後方向に一定の長さを有する形態にあっては、最狭部５１Ｃの前後方向Ｌの中心が吸収性物品の前後方向の中心１０ＬＣよりも前側に位置してよい。吸収コア５０の最狭部５１Ｃは、着用時にもっとも両脚によって挟まれる部分となる。脚を曲げて前屈みの姿勢を取った後に姿勢を元に戻す際に、脚に挟まれた吸収コア５０の最狭部５１Ｃから吸収コア５０の全域に前後方向に移動する力がかかる。吸収コア５０の最狭部５１Ｃが前側に偏倚しているため、最狭部５１Ｃよりも後側の領域の前後方向の長さを確保でき、姿勢を元に戻す際にウエスト開口６２側に戻る量を増やすことができる。吸収コア５０を介して押圧された際に後ウエスト領域Ｒ１１を引き上が易くなる。
【００６８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００６９】
着用者が前屈みの姿勢を取った場合において着用者の背部に対するずれ下がりを抑制できる吸収性物品を提供できる。
【符号の説明】
【００７０】
１０      ：吸収性物品
２０      ：前外装体
２２      ：前側糸ゴム
２５      ：前第１外装シート
２６      ：前第２外装シート
２７      ：前カバーシート
２８      ：外装伸縮シート
３０      ：後外装体
３５      ：後第１外装シート
３６      ：後第２外装シート
３７      ：後カバーシート
３８      ：後側糸ゴム
３９      ：後第３外装シート
４０      ：吸収性本体
４０Ｒ    ：後端縁
４１      ：液不透過シート
４２Ａ    ：肌面シート
４２Ｂ    ：本体シート
５０      ：吸収コア
６０      ：サイド接合部
７５      ：エンボス部
７６      ：積層体
Ｆ１１    ：前ウエスト領域
Ｒ１１    ：後ウエスト領域
ＨＲ      ：高剛性領域
ＨＳ      ：高収縮領域
Ｓ１      ：前胴回り域
Ｓ２      ：後胴回り域
Ｓ３      ：股下域
Ｌ        ：前後方向
Ｔ        ：厚み方向
Ｔ１      ：肌面側
Ｔ２      ：非肌面側
Ｗ        ：幅方向
【図１】
2020103825.tif 000004
【図２】
2020103825.tif 000005
【図３】
2020103825.tif 000006
【図４】
2020103825.tif 000007
【図５】
2020103825.tif 000008